(57)【要約】【課題】無駄な消費電力の発生を抑えることのできる電源制御装置等の提供。【解決手段】電源制御装置は、入力された信号の継続時間の所定の時間範囲への属否と、前記信号の波形についての所定の少なくとも一つの特徴のうちのいずれかの存否と、を判定する。前記処理部は、前記属否及び前記存否の判定結果がいずれも肯定的である場合に、所定の回路への電力供給を開始する。【選択図】      図１
2018011118.tif 000002
【特許請求の範囲】
【請求項１】
入力された信号の継続時間の所定の時間又は時間範囲への属否と、前記信号の波形についての所定の少なくとも一つの特徴のうちのいずれかの存否と、を判定する判定部と、
前記属否及び前記存否の判定結果がいずれも肯定的である場合に、所定の回路への電力供給を開始する処理部と、
を備える電源制御装置。
【請求項２】
前記継続時間がフレーム長変調信号のフレーム長である、請求項１に記載された電源制御装置。
【請求項３】
前記特徴が、前記フレーム長変調信号に重ね合せた重ね合せ信号の備える要素である、請求項２に記載された電源制御装置。
【請求項４】
前記フレーム長変調信号の信号部のみに前記重ね合せ信号を重ね合せる、請求項３に記載された電源制御装置。
【請求項５】
前記特徴が、所定の時間間隔で繰り返される、請求項１乃至請求項４のうちのいずれか一に記載された電源制御装置。
【請求項６】
前記特徴が、前後の信号電圧と比較した信号電圧の相対的な増加又は減少である、請求項１乃至請求項５のうちのいずれか一に記載された電源制御装置。
【請求項７】
入力された信号の継続時間の所定の時間範囲への属否と、前記信号の波形についての所定の少なくとも一つの特徴のうちのいずれかの存否と、を判定し、前記属否及び前記存否の判定結果がいずれも肯定的である場合に、所定の回路への電力供給を開始する、電源制御装置に対し、前記属否及び前記存否が肯定的に判定され得る信号を送付する送信装置。
【請求項８】
前記判定され得る信号を、前記属否が判定され得るフレーム長のフレーム長変調信号に前記特徴を備えさせることにより生成する、請求項７に記載された送信装置。
【請求項９】
請求項１乃至請求項６のうちのいずれか一に記載された電源制御装置と請求項７又は請求項８の送信装置とを備える、電源制御システム。
【請求項１０】
入力された信号の継続時間の所定の時間範囲への属否と、前記信号の波形についての所定の少なくとも一つの特徴のうちのいずれかの存否と、を判定し、
前記属否及び前記存否の判定結果がいずれも肯定的である場合に、所定の回路への電力供給を開始する、
電源制御方法。
【発明の詳細な説明】
【技術分野】
【０００１】
本発明は、電源制御に関する。
【背景技術】
【０００２】
電気機器の省電力化のためには、非使用時に、電気機器における電力の供給部分を狭める、いわゆるスリープ状態にすることが有効である。
【０００３】
例えば、特許文献１乃至３において、無線ＬＡＮ（Ｌｏｃａｌ  Ａｒｅａ  Ｎｅｔｗｏｒｋ）機器において、ユーザが使うときにだけ即座に起動できるウェイクアップ受信機を搭載した無線受信機が開示されている。この方式では、無線端末は、伝送する無線ＬＡＮ信号のフレーム長により起動を所望するアクセスポイント個別のＩＤ（Ｉｄｅｎｔｉｆｉｅｒ）を表現するフレーム長変調を行う。そして、無線アクセスポイントは、ウェイクアップ受信機により、受信した無線ＬＡＮ信号のフレーム長をＩＤに変換する。そして、無線アクセスポイントは、変換したＩＤが自身のＩＤとマッチした場合に、スリープ状態を解除する。
【先行技術文献】
【特許文献】
【０００４】
【特許文献１】特開２０１２−１７５５１６号公報
【特許文献２】特開２０１３−０８５０８７号公報
【特許文献３】特開２０１５−１７７５１６号公報
【発明の概要】
【発明が解決しようとする課題】
【０００５】
フレーム長変調方式は、所定の振幅の信号の有無のみにより、フレーム長を求めるものである。従い、フレーム長変調方式は、電波干渉による影響を受けやすい。そのため、無線アクセスポイントは、その無線アクセスポイント向けではない他のフレームの割り込み等によるＩＤの誤検知により、スリープ状態を解除してしまう可能性がある。そのために、特許文献１乃至３が開示する方法は、無線アクセスポイントに無駄な消費電力が発生する場合があることが課題である。
【０００６】
本発明は、無駄な消費電力の発生を抑えることのできる電源制御装置等の提供を目的とする。
【課題を解決するための手段】
【０００７】
本発明の電源制御装置は、判定部と処理部とを備える。前記判定部は、入力された信号の継続時間の所定の時間範囲への属否と、前記信号の波形についての所定の少なくとも一つの特徴のうちのいずれかの存否と、を判定する。前記処理部は、前記属否及び前記存否の判定結果がいずれも肯定的である場合に、所定の回路への電力供給を開始する。
【発明の効果】
【０００８】
本発明の電源制御装置等は、無駄な消費電力の発生を抑えることができる。
【図面の簡単な説明】
【０００９】
【図１】本実施形態の無線ＬＡＮシステムの構成例を表す概念図である。
【図２】無線ＬＡＮ端末の構成例を表す概念図である。
【図３】信号生成部の構成例を表す概念図である。
【図４】無線ＬＡＮアクセスポイントの構成例を表す概念図である。
【図５】電源制御部の構成例を表す概念図である。
【図６】本実施形態の無線ＬＡＮ端末が行う処理フロー例を表す概念図である。
【図７】ウエイクアップ信号の例を表す概念図である。
【図８】図６に表すＳ１０１の詳細処理フロー例を表す概念図である。
【図９】図６に表すＳ１０２の詳細処理フロー例を表す概念図である。
【図１０】電源制御部が行うウエイクアップ処理を表す概念図である。
【図１１】図１０に表すＳ４１１の詳細処理フロー例を表す概念図である。
【図１２】本発明の電源制御装置の最小構成を表す概念図である。
【発明を実施するための形態】
【００１０】
［構成と動作］
図１は、本実施形態の無線ＬＡＮシステムの例である無線ＬＡＮシステム１１の構成を表す概念図である。
【００１１】
無線ＬＡＮシステム１１は、無線ＬＡＮ端末１００と無線ＬＡＮアクセスポイント１１０とを備える。
【００１２】
無線ＬＡＮ端末１００は、スリープ状態にある無線ＬＡＮアクセスポイント１１０をウエイクアップさせるためのウエイクアップ信号を作成する。ここで、「スリープ状態」は、無線ＬＡＮアクセスポイント１１０の多くの部分に電源からの電力が供給されていない状態をいう。また、「ウエイクアップ」はスリープ状態から、スリープ状態において電力が供給されていなかった部分に電力が供給された状態に、移行することをいう。
【００１３】
無線ＬＡＮ端末１００は、無線ＬＡＮ端末１００が送信するウエイクアップ信号を、無線ＬＡＮアクセスポイント１１０が保持するＩＤ（Ｉｄｅｎｔｉｆｉｅｒ）を表すフレーム長のフレーム長変調信号に対し重ね合せ信号を重ね合せることにより生成する。
【００１４】
ここで、重ね合せ信号は、ウエイクアップ信号が誤ったものではないことを、無線ＬＡＮアクセスポイント１１０に知らせるための信号である。［発明が解決しようとする課題］の項で説明したように、フレーム長変調方式は、電波干渉による影響が大きい。そのため、無線アクセスポイントは、その無線アクセスポイント向けではない他の信号の無線フレームの割り込み等によりＩＤの誤検知により、スリープ状態を解除してしまう可能性がある。重ね合せ信号は、ＩＤの誤検知によるスリープ状態解除の発生を抑えるための信号である。
【００１５】
ウエイクアップ信号の例及びその生成方法の例については後述する。
【００１６】
無線ＬＡＮ端末１００は、無線ＬＡＮアクセスポイント１１０への情報信号の送信に先立ち、無線空間に対し、生成したウエイクアップ信号を送信する。ここで、情報信号は、ウエイクアップ信号以外の信号をいう。当該ウエイクアップ信号は無線ＬＡＮアクセスポイント１１０にも到達する。
【００１７】
無線ＬＡＮ端末１００は、ウエイクアップ信号の送信後、無線ＬＡＮアクセスポイント１１０宛の情報信号を無線空間に送信する。
【００１８】
無線ＬＡＮアクセスポイント１１０は、無線ＬＡＮアクセスポイント１１０宛のウエイクアップ信号の到達を検出するまでは、スリープ状態にある。ただし、スリープ状態であっても、ウエイクアップ信号を検知する部分には、電力が供給されている。そして、無線空間を通じてある信号が到達すると、無線ＬＡＮアクセスポイント１１０は、到達した信号が無線ＬＡＮアクセスポイント１１０宛のウエイクアップ信号かどうかを判定する。無線ＬＡＮアクセスポイント１１０は、当該判定を、前記重ね合せ信号の有無の判定、及び、ウエイクアップ信号のフレーム長が無線ＬＡＮアクセスポイント１１０のＩＤを表すか否かの判定により行う。
【００１９】
無線ＬＡＮアクセスポイント１１０は、受信した信号が無線ＬＡＮアクセスポイント１１０宛のウエイクアップ信号であることを判定した場合は、ウエイクアップを行う。そして、ウエイクアップ後に無線ＬＡＮ端末１００から送られた情報信号を受信する。
【００２０】
無線ＬＡＮアクセスポイント１１０は、例えば、ウエイクアップ信号を検出する部分以外の部分が所定時間動作しない場合は、前述のスリープ状態になる。
【００２１】
図２は、図１に表す無線ＬＡＮ端末１００の例である無線ＬＡＮ端末１００ａの構成を表す概念図である。
【００２２】
無線ＬＡＮ端末１００ａは、信号生成部１０１と、電源１０２と、通信部１０３と、処理部１０４と、アンテナ１０５とを備える。
【００２３】
信号生成部１０１と通信部１０３とアンテナ１０５は、ウエイクアップ信号を無線ＬＡＮアクセスポイント１１０に対して送信する部分である送信部１０６を構成する。
【００２４】
信号生成部１０１は、図１の説明で述べたウエイクアップ信号の生成を行う。
【００２５】
電源１０２は、信号生成部１０１、通信部１０３及び処理部１０４に対し、これらが動作するための電力を供給する。
【００２６】
通信部１０３は、アンテナ１０５を通じて、無線による情報の送信を行う。当該送信には、信号生成部１０１が生成するウエイクアップ信号の送信や、処理部１０４が生成する情報信号の送信が含まれる。通信部１０３は、アンテナ１０５を通じての信号の受信を行っても構わない。
【００２７】
処理部１０４は、前記情報信号の生成を含む、ウエイクアップ信号の生成及び信号の送信以外の処理を行う。
【００２８】
図３は、図２に表す信号生成部１０１の例である信号生成部１０１ｂの構成を表す概念図である。
【００２９】
信号生成部１０１ｂは、処理部１０１２と記録部１０１３とを備える。
【００３０】
処理部１０１２は、ウエイクアップ信号を生成する処理を行う。当該ウエイクアップ信号を生成する処理の例は後述する。処理部１０１２は、生成したウエイクアップ信号を図２に表す通信部１０３及びアンテナ１０５経由で、無線空間に送信する。処理部１０１２は、また、必要に応じて記録部１０１３に情報を記録させる。
【００３１】
記録部１０１３は、処理部１０１２が指示する情報を記録する。記録部は１０１３は、また、処理部１０１２が指示する情報を処理部１０１２に送る。
【００３２】
図４は、図１に表す無線ＬＡＮアクセスポイント１１０の例である無線ＬＡＮアクセスポイント１１０ａの構成を表す概念図である。
【００３３】
無線ＬＡＮアクセスポイント１１０ａは、電源１１１と、電源制御部１１２と、電源１１３と、処理部１１４と、通信部１１５と、アンテナ１１６とを備える。
【００３４】
電源１１１は、スリープ状態において電源制御部１１２に対し、電力を供給する。電源１１１はウエイクアップ時においては、電源制御部１１２に対し電力を供給しなくても構わない。電源１１１がウエイクアップ時において電源制御部１１２に対し電力を供給しない場合は、無線ＬＡＮアクセスポイント１１０ａは一層の省電力化を図ることができる。
【００３５】
電源制御部１１２は、スリープ状態において、アンテナ１１６を通じて送られた信号を受信する。そして、電源制御部１１２は、到達した信号が無線ＬＡＮアクセスポイント１１０ａ宛のウエイクアップ信号かどうかを判定する。電源制御部１１２は、受信した信号が無線ＬＡＮアクセスポイント１１０ａ宛のウエイクアップ信号であることを判定した場合は、電源１１３に対し、処理部１１４及び通信部１１５に対する電力供給開始を指示する。
【００３６】
処理部１１４は、通信部１１５及びアンテナ１１６を通じて送信する情報信号の生成や、アンテナ１１６及び通信部１１５を介して受信した情報の処理等を行う。
【００３７】
通信部１１５は、アンテナ１１６を介して、情報信号の送受信を行う。
【００３８】
図５は、図４に表す電源制御部１１２の例である電源制御部１１２ｂの構成を表す概念図である。
【００３９】
電源制御部１１２ｂは、受信部１１２１と、処理部１１２２と、記録部１１２３とを表す。
【００４０】
受信部１１２１は、図４に表すアンテナ１１６に接続されており、アンテナ１１６を通じて送られる信号を受信する。受信部１１２１は、受信した信号を処理部１１２２に送る。
【００４１】
処理部１１２２は、受信部１１２１から送られる信号に対して処理を行う。当該処理の例は後述する。処理部１１２２は、必要に応じて、記録部１１２３に情報を記録させる。
【００４２】
記録部１１２３は、処理部１１２２が指示する情報を記録する。記録部１１２３は、また、処理部１１２２が指示する情報を処理部１１２２に送る。
【００４３】
図６は、図２に表す無線ＬＡＮ端末１００ａが行う処理の処理フロー例を表す概念図である。
【００４４】
まず、Ｓ１０１の処理として、信号生成部１０１は、図１に表す無線ＬＡＮアクセスポイント１１０の保持するＩＤを表すフレーム長を有するフレーム長変調信号を生成する。Ｓ１０１の処理の詳細例は後述する。
【００４５】
次に、Ｓ１０２の処理として、信号生成部１０１は、Ｓ１０１において生成したフレーム長変調信号に、重ね合せ信号を重ね合せる。Ｓ１０２の処理の詳細例は後述する。重ね合せ信号を重ね合せたフレーム長変調信号は通信部１０３に送られる。
【００４６】
そして、Ｓ１０３の処理として、通信部１０３は、図２に表すアンテナ１０５を介して、重ね合せ信号を重ね合せたフレーム長変調信号を無線空間に送信する。
【００４７】
Ｓ１０１乃至Ｓ１０３の処理と並行して、Ｓ１０４の処理として、処理部１０４は無線ＬＡＮアクセスポイント１１０に送信するための情報信号の生成を行う。生成された情報信号は、通信部１０３に送られる。
【００４８】
そして、通信部１０３は、Ｓ１０４の処理により生成された情報信号を、無線ＬＡＮアクセスポイント１１０に向けて送信する。
【００４９】
図７は、ウエイクアップ信号の例を表す概念図である。図７（ａ）はフレーム長変調信号、図７（ｂ）は重ね合せ信号、図７（ｃ）はフレーム長変調信号に重ね合せ信号を重ね合せた信号である。図７の各図における横軸の一目盛は、無線ＬＡＮアクセスポイント１１０におけるサンプリング時間である。
【００５０】
図７（ａ）に表すように、フレーム長変調信号は、横軸の１目盛目から立ち上がり、１目盛から１２目盛までは電圧値０．１であり、１３目盛以降は電圧値ゼロの信号である。
【００５１】
なお、図７（ａ）において、横軸の各目盛における電圧値を結ぶ線は、単に横軸の各目盛における値を結んだだけのものである。横軸の目盛間における実際の電圧値は直線が表すものに等しくない場合もあり得る。この点は、図７（ｂ）及び図７（ｃ）においても同じである。
【００５２】
横軸の目盛ごとの電圧値において、図７（ａ）において電圧値の立ち上がりが完了した時刻（電圧値が０．１になった時刻）から立ち下がりが完了した時刻（電圧値がゼロになった時刻）までの時間をフレーム長とする。そして、フレーム長は、無線ＬＡＮアクセスポイント１１０のＩＤを表すようにする。
【００５３】
図７（ｂ）に表すように、重ね合せ信号は、図７（ａ）に表す電圧値が０．１の時間（横軸の１目盛から１２目盛の範囲）において、横軸の３目盛に１回、電圧値が０．３であり、それ以外の横軸の目盛では電圧値がゼロの信号である。
【００５４】
図７（ｃ）は、図７（ａ）に表す信号と図７（ｂ）に表す信号とを重ね合せた信号である。
【００５５】
図７（ｂ）は、横軸の３目盛に１回電圧値が０．３になる重ね合せ信号を表すが、横軸の何目盛に一回電圧値の上乗せがあるか及びその電圧値は適宜選択できる。
【００５６】
以下、特に断りがない限り、図７（ｂ）に表す重ね合せ信号を用いる場合を例に説明する。
【００５７】
図８は、図２に表す信号生成部１０１が行う図６に表すＳ１０１の処理の詳細処理フロー例を表す概念図である。
【００５８】
なお、信号生成部１０１が図３に表す信号生成部１０１ｂである場合には、下記説明における記録又は保持の主体（記録部）は図３に表す記録部１０１３である。また、記録及び保持以外の処理は処理部１０１２が行う。これらは、後述の図９の説明においても同じである。
【００５９】
まず、信号生成部１０１は、Ｓ２０１の処理として、無線ＬＡＮアクセスポイント１１０が保持するＩＤを信号生成部１０１の記録部から読みだす。当該ＩＤは、当該記録部に予め入力されている。
【００６０】
次に、信号生成部１０１は、ＩＤをフレーム長を表す時間である時間Ｔに変換する。前記記録部は、例えば、予め、ＩＤとフレーム長との対応データを保持しており、信号生成部１０１は当該対応データにより、ＩＤを時間Ｔに変換する。
【００６１】
そして、Ｓ２０３の処理として、信号生成部１０１は、時間ｔをゼロに設定する。時間ｔは図７（ａ）の横軸に対応する時間である。
【００６２】
そして、Ｓ２０４の処理として、信号生成部１０１は、ｔにｔ＋ΔＴを代入する。ここで、ΔＴは、図７（ａ）の横軸の一目盛に相当する時間である。
【００６３】
そして、Ｓ２０５の処理として、時間ｔが時間Ｔより大きいかを判定する。
【００６４】
信号生成部１０１は、Ｓ２０５において、時間ｔが時間Ｔより大きいことを判定しなかった場合は、Ｓ２０６の処理を行う。
【００６５】
一方、信号生成部１０１は、Ｓ２０５において、経過時間ｔが時間Ｔより大きいことを判定した場合は、図８に表す処理を終了する。
【００６６】
信号生成部１０１は、Ｓ２０６の処理を行う場合は、同処理として、その時間ｔの電圧値ＶをＶｓとし、時間ｔと関連付けて、前記記録部に記録する。ここで、Ｖｓは予め設定された電圧値である。例えば、図７（ａ）に表すフレーム長変調信号の場合は、Ｖｓは０．１である。
【００６７】
図９は、図６に表すＳ１０２の処理の詳細処理フロー例を表す概念図である。
【００６８】
まず、Ｓ３０１として、信号生成部１０１は、時間ｔをゼロを設定する。ここで、時間ｔは図７（ａ）の横軸に対応する時間である。
【００６９】
次に、信号生成部１０１は、時間ｔにｔ＋ΔＴを代入する。ここで、ΔＴは、図７（ａ）の横軸の一目盛に相当する時間である。
【００７０】
そして、Ｓ３０３の処理として、信号生成部１０１は、図６のＳ１０１の処理で作成したフレーム長変調信号からその時間ｔについての電圧値を読み出す。
【００７１】
そして、信号生成部１０１は、Ｓ３０５の処理として、電圧値Ｖ＝Ｖｆ＋Ｖｓを、経過時間ｔと関連付けて記録する。ここで、電圧値Ｖｓは、図８のＳ２０６の処理で用いた電圧値Ｖｓである。電圧値Ｖｓは、図７（ａ）に表す例によると０．１である。また、電圧値Ｖｆはフレーム長変調信号に上乗せする電圧値である。電圧値Ｖｆは、図７（ｃ）では０．３である。電圧値Ｖｆは予め設定されている。
【００７２】
そして、信号生成部１０１は、Ｓ３０６の処理として、時間ｔにゼロを代入する。
【００７３】
そして、信号生成部１０１は、Ｓ３０６−２の処理として、ｎに１を代入する。ここで、ｎは後述のＳ３０７の処理で用いられる値である。
【００７４】
そして、信号生成部１０１は、Ｓ３０７の処理として、時間ｔにｎとΔＴとの積を代入する。
【００７５】
そして、信号生成部１０１はＳ３０８の処理として、図６のＳ１０１の処理で作成したフレーム長変調信号からその時間ｔについての電圧値Ｖを読み出す。
【００７６】
そして、信号生成部１０１はＳ３０９の処理として、Ｓ３０８の処理により読み出した電圧値Ｖが電圧値Ｖｓより小さいかを判定する。
【００７７】
信号生成部１０１は、Ｓ３０９の処理により、電圧値Ｖが電圧値Ｖｓより小さいことを判定した場合は、図９に表す処理を終了する。
【００７８】
一方、信号生成部１０１は、Ｓ３０９の処理により、電圧値Ｖが電圧値Ｖｓより小さいことを判定しなかった場合は、Ｓ３１０の処理を行う。
【００７９】
信号生成部１０１は、Ｓ３１０の処理を行う場合は、時間ｔが３ΔＴの整数倍かを判定する。
【００８０】
信号生成部１０１は、Ｓ３１０の処理により、時間ｔが３ΔＴの整数倍であることを判定した場合は、Ｓ３１１の処理を行う。
【００８１】
一方、信号生成部１０１は、Ｓ３１０の処理により、時間ｔが３ΔＴの整数倍であることを判定しなかった場合は、Ｓ３１２の処理を行う。
【００８２】
信号生成部１０１は、Ｓ３１１の処理を行う場合は、同処理として、電圧値Ｖ＝Ｖｆ＋Ｖｓを、時間ｔと関連付けて記録する。
【００８３】
そして、信号生成部１０１は、Ｓ３１３の処理を行う。
【００８４】
信号生成部１０１は、Ｓ３１２の処理を行う場合は、同処理として、電圧値Ｖ＝Ｖｓを、時間ｔと関連付けて記録する。
【００８５】
そして、信号生成部１０１は、Ｓ３１３の処理を行う。
【００８６】
信号生成部１０１は、Ｓ３１３の処理を行う場合は、同処理として、ｎにｎ＋１を代入する。
【００８７】
そして、信号生成部１０１は、前述の、Ｓ３０７の処理を行う。
【００８８】
図１０は、図４に表す電源制御部１１２が行うウエイクアップ処理を表す概念図である。
【００８９】
なお、電源制御部１１２が図５に表す電源制御部１１２ｂである場合には、下記説明における記録又は保持の主体（記録部）は図５に表す記録部１１２３である。また、記録及び保持以外の処理は処理部１１２２が行う。これらは図１１の説明においても同じである。
【００９０】
図１０に表す処理の前提として、電源制御部１１２は、スリープ状態において時々刻々と、アンテナ１１６を通じて信号を受信し、受信した信号の電圧値を測定しているものする。そして、電源制御部１１２は、受信した信号を記録部に記録しているものとする。
【００９１】
次に説明するＳ４００乃至Ｓ４０７の処理は、受信した信号が図１に表す無線ＬＡＮアクセスポイント１１０宛のフレーム長変調信号であることを仮定して、フレーム長変調信号からフレーム長を求める処理である。
【００９２】
まず、電源制御部１１２は、Ｓ４００の処理として、図１０に表す処理を終了するかを判定する。電源制御部１１２は、当該判定を、例えば外部からの終了信号の入力の有無を判定することにより行う。
【００９３】
電源制御部１１２は、Ｓ４００の処理により図１０に表す処理を終了することを判定した場合は、図１０に表す処理を終了する。
【００９４】
一方、電源制御部１１２は、Ｓ４００の処理により図１０に表す処理を終了することを判定しなかった場合は、Ｓ４０１の処理を行う。
【００９５】
そして、電源制御部１１２は、Ｓ４０１の処理として、経過時間ｔをゼロに設定する。
【００９６】
そして、電源制御部１１２は、Ｓ４０２の処理として、経過時間ｔ＝ΔＴが経過したかを判定する。ここで、ΔＴはサンプリング間隔を表す時間である。電源制御部１１２は、当該判定を、例えば外部から入力されるクロック信号により行う。
【００９７】
電源制御部１１２は、Ｓ４０２の処理により、経過時間ｔ＝ΔＴが経過したことを判定した場合は、Ｓ４０３の処理を行う。
【００９８】
一方、電源制御部１１２は、Ｓ４０２の処理により経過時間ｔ＝ΔＴが経過したことを判定しなかった場合は、Ｓ４０２の処理を再度行う。
【００９９】
電源制御部１１２は、Ｓ４０３の処理を行う場合は、同処理として、受信電圧Ｖｒが閾値Ｖｔ１より小さいかを判定する。閾値Ｖｔ１は、無線ＬＡＮ端末１００ａが送信するウエイクアップ信号の電圧が図８（ａ）に表すように０．１の場合に想定される受信電圧Ｖｒよりも小さい値である。ただし、閾値Ｖｔ１は、受信電圧Ｖｒに含まれるノイズの影響を抑えられる程度には大きい値であることが好ましい。閾値Ｖｔ１は予め設定されているものとする。Ｓ４０３の処理は、受信電圧Ｖｒが閾値Ｖｔ１より小さい場合は、ウエイクアップ電圧ではないと判断するために行う処理である。
【０１００】
電源制御部１１２は、Ｓ４０３の処理により受信電圧Ｖｒが閾値Ｖｔ１より小さいことを判定した場合は、前述のＳ４０１の処理を行う。
【０１０１】
電源制御部１１２は、Ｓ４０３の処理により受信電圧Ｖｒが閾値Ｖｔ１より小さいことを判定しなかった場合は、Ｓ４０４の処理を行う。
【０１０２】
電源制御部１１２は、Ｓ４０４の処理を行う場合は、同処理として、経過時間ｔをゼロに設定する。
【０１０３】
そして、電源制御部１１２は、Ｓ４０４ａの処理として、ｎの値を１に設定する。ｎは後述のＳ４０５及びＳ４０６ａの処理において用いられる値である。
【０１０４】
そして、電源制御部１１２は、Ｓ４０５の処理として、時間ｔ＝ｎΔＴが経過したかを判定する。
【０１０５】
電源制御部１１２は、Ｓ４０５の処理により時間ｔ＝ｎΔＴが経過したことを判定した場合は、Ｓ４０６の処理を行う。
【０１０６】
一方、電源制御部１１２は、Ｓ４０５の処理により時間ｔ＝ｎΔＴが経過したことを判定しなかった場合は、Ｓ４０５の処理を再度行う。
【０１０７】
電源制御部１１２は、Ｓ４０６の処理を行う場合は、同処理として、受信電圧Ｖｒが閾値Ｖｔ１より小さいかを判定する。
【０１０８】
電源制御部１１２は、Ｓ４０６の処理により受信電圧Ｖｒが閾値Ｖｔ１より小さいことを判定した場合は、Ｓ４０７の処理を行う。
【０１０９】
一方、電源制御部１１２は、Ｓ４０６の処理により受信電圧Ｖｒが閾値Ｖｔ１より小さいことを判定しなかった場合は、Ｓ４０６ａの処理を行う。
【０１１０】
電源制御部１１２は、Ｓ４０６ａの処理を行う場合は、同処理として、ｎにｎ＋１を代入する。
【０１１１】
そして、電源制御部１１２は、Ｓ４０５の処理を行う。
【０１１２】
一方、電源制御部１１２は、Ｓ４０７の処理を行う場合は、同処理として、時間ＴＭに経過時間ｔを代入する。時間ＴＭは後述のＳ４２２の処理で用いる値である。
【０１１３】
そして、電源制御部１１２は、Ｓ４００の処理とＳ４０８−１の処理とを行う。
【０１１４】
Ｓ４０８−１乃至Ｓ４０８−３の処理は、Ｓ４０７の処理により求めた時間ＴＭ（フレーム長）が電源制御部１１２のＩＤを表すものであるかを判定する処理である。
【０１１５】
電源制御部１１２は、Ｓ４０８−１の処理を行う場合は、時間ＴＭに相当するＩＤがあるかを判定する。電源制御部１１２は、当該判定を、例えば、記録部が保持する、時間ＴＭとＩＤの対応リストを参照することにより行う。
【０１１６】
なお、Ｓ４０３のＮｏ乃至Ｓ４０７の処理により求めた時間ＴＭの値は、Ｓ４０３のＮｏの判定を行ったタイミングによりずれが生じることがあり得る。従い、時間ＴＭに相当するＩＤがあるかを判定する処理は、時間ＴＭの所定の範囲に対応するＩＤがあるかを判定する処理になる。前記判定を前記対応リストを参照することにより行う場合は、前記対応リストは、時間ＴＭの所定の範囲とＩＤとの対応リストである。そして、前記対応リストに含まれる任意の二つのＩＤの各々に対応する時間ＴＭの範囲は、互いに重ならないように設定されているべきである。
【０１１７】
電源制御部１１２は、Ｓ４０８−１の処理により時間ＴＭに相当するＩＤがあることを判定した場合は、Ｓ４０８−２の処理を行う。
【０１１８】
一方、電源制御部１１２は、Ｓ４０８−１の処理により時間ＴＭに相当するＩＤがあることを判定しなかった場合は、その時点のＳ４０８−１以降の処理を終了する。ここで、「その時点の」と記述したのは、Ｓ４０８−１以降の処理はＳ４０７の処理が行われるたびに開始されるが、新たに開始されるＳ４０８−１以降の処理までは終了しないという趣旨である。
【０１１９】
電源制御部１１２は、Ｓ４０８−２の処理を行う場合は、同処理として、時間ＴＭをＩＤに変換する。
【０１２０】
そして、電源制御部１１２は、Ｓ４０８−３の処理として、Ｓ４０８−２の処理により変換したＩＤが、電源制御部１１２が記録部に保持する無線ＬＡＮアクセスポイント１１０のＩＤと一致するかを判定する。
【０１２１】
電源制御部１１２は、Ｓ４０８−３の処理により変換したＩＤが無線ＬＡＮアクセスポイント１１０のＩＤと一致することを判定した場合には、Ｓ４１０の処理を行う。
【０１２２】
一方、電源制御部１１２は、Ｓ４０８−３の処理により変換したＩＤが無線ＬＡＮアクセスポイント１１０のＩＤと一致することを判定しなかった場合には、その時点のＳ４０８−１以降の処理を終了する。
【０１２３】
以下に説明する、Ｓ４１０乃至Ｓ４３４の処理は、受信した信号が無線ＬＡＮアクセスポイント宛のウエイクアップ信号か否かを判定し、当該ウエイクアップ信号であると判定した場合にウエイクアップを行う処理である。
【０１２４】
電源制御部１１２は、Ｓ４１０の処理を行う場合は、同処理として、記録部が保持する最新の０＜ｔ＜ＴＭの範囲の受信電圧を読み込む。
【０１２５】
そして、電源制御部１１２は、Ｓ４１１の処理として、最新の０＜ｔ＜ＴＭの範囲の受信電圧の最初のピークを特定する。当該特定のための詳細処理フロー例は後述する。
【０１２６】
そして、電源制御部１１２は、Ｓ４１２の処理として、最初のピークの時間を時間ｔ＝０に設定する。
【０１２７】
そして、電源制御部１１２は、Ｓ４１３の処理として、ｔ＝０におけるＶｒ（ｔ）が閾値Ｖｔ２より大きいかを判定する。ここで、閾値Ｖｔ２は予め定められているものとする。
【０１２８】
電源制御部１１２は、Ｓ４１３の処理によりＶｒ（０）が閾値Ｖｔ２より大きいことを判定した場合は、Ｓ４２１の処理を行う。
【０１２９】
一方、電源制御部１１２は、Ｓ４１３の処理によりＶｒ（０）が閾値Ｖｔ２より大きいことを判定しなかった場合は、その時点のＳ４０８−１以降の処理を終了する。
【０１３０】
電源制御部１１２は、Ｓ４２１の処理を行う場合は、同処理として、経過時間ｔにｔ＋３ΔＴを代入する。
【０１３１】
そして、電源制御部１１２は、Ｓ４２２の処理として、経過時間ｔがＳ４０７の処理において設定した時間ＴＭより小さいかを判定する。
【０１３２】
電源制御部１１２は、Ｓ４２２の処理により、経過時間ｔが時間ＴＭより小さいことを判定した場合は、前述のＳ４１３の処理を行う。
【０１３３】
一方、電源制御部１１２は、Ｓ４２２の処理により、経過時間ｔが時間ＴＭより小さいことを判定しなかった場合は、Ｓ４３４の処理を行う。
【０１３４】
電源制御部１１２は、Ｓ４３４の処理を行う場合は、図４に表す電源１１３に対しウエイクアップ信号を送付する。電源制御部１１２からウエイクアップ信号を受けた電源１１３は、図４に表す処理部１１４及び通信部１１５に対し電力供給を開始する。
【０１３５】
そして、電源制御部１１２は、その時点のＳ４０８−１以降の処理を終了する。
【０１３６】
図１１は、図１０に表すＳ４１１の処理の詳細処理フロー例を表す概念図である。
【０１３７】
電源制御部１１２は、まず、Ｓ５０１の処理として、図１０に表すＳ４１０の処理により読み出した０＜ｔ＜ＴＭの範囲のＶｒ（ｔ）に対して連続化処理を行う。Ｓ４１０の処理により読み出した０＜ｔ＜ＴＭの範囲のＶｒ（ｔ）は、ΔＴごとの時間ｔと関連付けられた不連続なＶｒ（ｔ）の集合である。Ｓ５０１の処理は、不連続なＶｒ（ｔ）の集合を連続的なデータにする連続化処理である。電源制御部１１２は、Ｓ５０１の処理として、例えば、隣合うＶｒ（ｔ）間を直線で結ぶ処理を行う。あるいは、電源制御部１１２は、Ｓ５０１の処理として、不連続なＶｒ（ｔ）の集合についての、スプライン曲線を求める処理を行ってもよい。連続化処理により、Ｖｒ（ｔ）は所定の式により表現される。
【０１３８】
次に、電源制御部１１２は、Ｓ５０２の処理として、Ｖｒ（ｔ＋ΔＴ１）−Ｖｒ（ｔ）が閾値Ｖｔ３より大きいかを判定する。閾値Ｖｔ３は予め定められた正の数とする。また、時間ΔＴ１は、前述のサンプリング間隔ΔＴと比較して十分に短い時間である。
【０１３９】
電源制御部１１２は、Ｓ５０２の処理により差がＶｔ３より大きいことを判定した場合は、Ｓ５０４の処理を行う。
【０１４０】
一方、電源制御部１１２は、Ｓ５０２の処理により差がＶｔ３より大きいことを判定しなかった場合は、Ｓ５０３の処理を行う。
【０１４１】
電源制御部１１２は、Ｓ５０３の処理を行う場合には、同処理として、時間ｔにｔ＋ΔＴ１を代入する。
【０１４２】
そして、電源制御部１１２は、Ｓ５０２の処理を行う。
【０１４３】
電源制御部１１２は、Ｓ５０４の処理を行う場合には、時間ｔにｔ＋ΔＴ１を代入する。
【０１４４】
そして、電源制御部１１２は、Ｓ５０５の処理として、Ｖｒ（ｔ＋ΔＴ１）−Ｖｒ（ｔ）が閾値−Ｖｔ３より小さいかを判定する。
【０１４５】
電源制御部１１２は、Ｓ５０５の処理により前記差が閾値−Ｖｔ３より小さいことを判定した場合は、Ｓ５０６の処理を行う。
【０１４６】
一方、電源制御部１１２は、Ｓ５０５の処理により前記差が閾値−Ｖｔ３より小さいことを判定しなかった場合は、図１１に表す処理を終了する。
【０１４７】
電源制御部１１２は、Ｓ５０６の処理を行う場合は、同処理として、Ｓ５０６の処理時（時間ｔ）におけるＶｒ（ｔ）を最初のピークとして特定する。
【０１４８】
以上説明したように、無線ＬＡＮシステム１１は、無線ＬＡＮ端末１００が無線空間に送る、無線ＬＡＮアクセスポイント１１０のＩＤを表すフレーム長のフレーム長変調信号に、ある周期の信号からなる重ね合せ信号を重ね合せる。そして、フレーム長が無線ＬＡＮアクセスポイント１１０は受信した信号のフレーム長が無線ＬＡＮアクセスポイント１１０のＩＤを表すものであるかの判定に加え、その信号が重ね合せ信号を重ね合せたものであるかを判定する。そして、無線ＬＡＮアクセスポイント１１０は、受信した信号のフレーム長が自己のＩＤを表し、かつ、その信号が重ね合せ信号を重ね合せたものである場合に、ウエイクアップを行う。そのため、無線ＬＡＮシステム１１は、他の信号の無線フレームの割り込み等によりＩＤの誤検知により、スリープ状態を解除してしまうことの発生を抑え、無駄な消費電力の発生を抑えることができる。
［効果］
本実施形態の無線ＬＡＮシステムは、無線ＬＡＮ端末が無線空間に送る、フレーム長が無線ＬＡＮアクセスポイントのＩＤを表すフレーム長変調信号に、所定の周期の信号からなる重ね合せ信号を重ね合せる。そして、前記フレーム長が無線ＬＡＮアクセスポイントは受信した信号のフレーム長が自己のＩＤを表すものであるかの判定に加え、その信号が重ね合せ信号を重ね合せたものであるかを判定する。そして、前記無線ＬＡＮアクセスポイントは、受信した信号のフレーム長が自己のＩＤを表し、かつ、その信号が重ね合せ信号を重ね合せたものである場合に、ウエイクアップする。そのため、本実施形態の無線ＬＡＮシステムは、他の信号の無線フレームの割り込み等によりＩＤの誤検知により、スリープ状態を解除してしまう可能性を抑え、無駄な消費電力の発生を抑えることができる。
【０１４９】
以上では、ウエイクアップ信号においてフレーム長変調信号に重ね合せる重ね合せ信号の電圧値が周期的に前後の電圧値と比較して増加する信号の場合について説明した。しかしながら、重ね合せ信号は、周期的に前後の電圧値と比較して電圧値が減少する信号であっても構わない。さらに、重ね合せ信号は、必ずしも周期的な信号でなくても構わない。さらには、ウエイクアップ信号が結果的にフレーム長変調信号に重ね合せ信号を重ね合せたように見えるものであれば、ウエイクアップ信号の作成方法は任意である。さらには、ウエイクアップ信号は、フレーム長を有し、所定の特徴を備えるものであれば上記以外のものでも構わない。さらに、当該特徴は必ずしも一つである必要はなく複数であっても構わない。また、当該特徴が複数ある場合に、電力供給のために、必ずしも当該複数の特徴のすべてについて確認される必要はない。
【０１５０】
図１２は、本発明の電源制御装置の最小構成である電源制御装置１１２ｘを表す概念図である。
【０１５１】
電源制御装置１１２ｘは、判定部１１２１ｘと処理部１１２２ｘとを備える。
【０１５２】
判定部１１２１ｘは、入力された信号の継続時間の所定の時間範囲への属否と、前記信号の波形についての所定の少なくとも一つの特徴のうちのいずれかの存否と、を判定する。
【０１５３】
処理部１１２２ｘは、前記属否及び前記存否の判定結果がいずれも肯定的である場合に、図示しない所定の回路への電力供給を開始する。
【０１５４】
なお、前記時間範囲には範囲の幅がゼロの場合が含まれるものとする。
【０１５５】
処理部１１２２ｘは、前記信号の継続時間が、所定の時間範囲へ属することだけでなく、前記信号の波形についての所定の少なくとも一つの特徴のうちのいずれかの存在を確認した場合に前記所定の回路への電力供給を開始する。そのため、電源制御装置１１２ｘは、電波干渉等による他の信号の割り込み等による、入力されたＡ信号についての識別情報の誤検知の発生を抑えることができる。
【０１５６】
そのため、電源制御装置１１２ｘは、上記構成により、［発明の効果］の項に記載した効果を奏する。
【０１５７】
以上、本発明の各実施形態を説明したが、本発明は、上記した実施形態に限定されるものではなく、本発明の基本的技術的思想を逸脱しない範囲で更なる変形、置換、調整を加えることができる。例えば、各図面に示したネットワーク構成や要素の構成は、本発明の理解を助けるための一例であり、これらの図面に示した構成に限定されるものではない。
【０１５８】
また、上記の実施形態の一部または全部は、以下の付記のようにも記述され得るが、以下には限られない。
【０１５９】
（付記Ａ１）
入力された信号の継続時間の所定の時間範囲への属否と、前記信号の波形についての所定の少なくとも一つの特徴のうちのいずれかの存否と、を判定する判定部と、
前記属否及び前記存否の判定結果がいずれも肯定的である場合に、所定の回路への電力供給を開始する処理部と、
を備える電源制御装置。
【０１６０】
（付記Ａ１．１）
前記継続時間がフレーム長変調信号のフレーム長である、付記Ａ１に記載された電源制御装置。
【０１６１】
（付記Ａ２）
前記特徴が、前記フレーム長変調信号に重ね合せた重ね合せ信号の備える要素である、付記Ａ１．１に記載された電源制御装置。
【０１６２】
（付記Ａ３）
前記フレーム長変調信号の信号部のみに前記重ね合せ信号を重ね合せる、付記Ａ２に記載された電源制御装置。
【０１６３】
（付記Ａ４）
前記特徴が、所定の時間間隔で繰り返される、付記Ａ１乃至付記Ａ３のうちのいずれか一に記載された電源制御装置。
【０１６４】
（付記Ａ５）
前記特徴が、前後の信号電圧と比較した信号電圧の相対的な増加又は減少である、付記Ａ１乃至付記Ａ４のうちのいずれか一に記載された電源制御装置。
【０１６５】
（付記Ａ６）
前記電力供給が、無線ＬＡＮ（Ｌｏｃａｌ  Ａｒｅａ  Ｎｅｔｗｏｒｋ）アクセスポイントの所定の部分への電力の供給である、付記Ａ１乃至付記Ａ５のうちのいずれか一に記載された電源制御装置。
【０１６６】
（付記Ｂ１）
入力された信号の継続時間の所定の時間又は時間範囲への属否と、前記信号の波形についての所定の少なくとも一つの特徴のうちのいずれかの存否と、を判定し、前記属否及び前記存否の判定結果がいずれも肯定的である場合に、所定の回路への電力供給を開始する、電源制御装置に対し、前記属否及び前記存否が肯定的に判定され得る信号を送付する送信装置。
【０１６７】
（付記Ｂ２）
前記判定され得る信号を、前記属否が判定され得るフレーム長のフレーム長変調信号に前記特徴を備えさせることにより生成する、付記Ｂ１に記載された送信装置。
【０１６８】
（付記Ｂ３）
無線ＬＡＮ（Ｌｏｃａｌ  Ａｒｅａ  Ｎｅｔｗｏｒｋ）端末に備えられた、付記Ｂ１又は付記Ｂ２に記載された送信装置。
【０１６９】
（付記Ｃ１）
付記Ａ１乃至付記Ａ６のうちのいずれか一に記載された電源制御装置と付記Ｂ１乃至付記Ｂ３のうちのいずれか一に記載された送信装置とを備える、電源制御システム。
【０１７０】
（付記Ｄ１）
入力された信号の継続時間の所定の時間又は時間範囲への属否と、前記信号の波形についての所定の少なくとも一つの特徴のうちのいずれかの存否と、を判定し、
前記属否及び前記存否の判定結果がいずれも肯定的である場合に、所定の回路への電力供給を開始する、
電源制御方法。
【０１７１】
（付記Ｅ１）
入力された信号の継続時間の所定の時間又は時間範囲への属否と、前記信号の波形についての所定の少なくとも一つの特徴のうちのいずれかの存否と、を判定する処理と、
前記属否及び前記存否の判定結果がいずれも肯定的である場合に、所定の回路への電力供給を開始する処理と、
を含む処理をコンピュータに実行させる電源制御プログラム。
【符号の説明】
【０１７２】
１１    無線ＬＡＮシステム
１００、１００ａ    無線ＬＡＮ端末
１０１、１０１ｂ    信号生成部
１０２、１１１、１１３    電源
１０３    通信部
１０４、１１４、１０１２、１１２２、１１２２ｘ    処理部
１０５、１１６    アンテナ
１０６    送信部
１１０、１１０ａ    無線ＬＡＮアクセスポイント
１１２、１１２ｂ    電源制御部
１１２ｘ    電源制御装置
１１５    通信部
１０１３、１１２３    記録部
１１２１    受信部
１１２１ｘ    判定部
【図１】
2018011118.tif 000003
【図２】
2018011118.tif 000004
【図３】
2018011118.tif 000005
【図４】
2018011118.tif 000006
【図５】
2018011118.tif 000007
【図６】
2018011118.tif 000008
【図７】
2018011118.tif 000009
【図８】
2018011118.tif 000010
【図９】
2018011118.tif 000011
【図１０】
2018011118.tif 000012
【図１１】
2018011118.tif 000013
【図１２】
2018011118.tif 000014